(57)【要約】【課題】  ＣＤケース及びこれに収納されるＣＤを確実に保持することができると共に、室内の所望の位置に自由に配置して保管できるようにすること。【解決手段】  弾力性を有し、各先端に抱え片４を備えた横支持腕１、１及び縦支持腕２、２を配した十字板状のホルダ本体３と、その中央に配した磁石５と、ホルダ本体３の背面に回動自在に配した二つの弾性接続片６ａ、６ｂとからなる。磁石５は、両面に異極を備えた円板状で、ホルダ本体３の中心孔に、その前面をホルダ本体３の前面と一致させ、後面を後方に突出させた状態で、嵌め込んで固定したものである。弾性接続片６ａ、６ｂは、ホルダ本体３の背面側で、その内端の係止口を磁石５に回動自在に外装したものである。弾性接続片６ａの外端にはフック部６ａｈが、弾性接続片６ｂの外端には接続孔６ｂｈが、それぞれ構成してある。【選択図】  図１
0003107308.tif 000002
【実用新案登録請求の範囲】
【請求項１】
中央部から上下左右に弾力性の支持腕を伸ばした十字板状のホルダ本体と、
両側に延びる各支持腕の先端に、該ホルダ本体の前面に当接させたＣＤケースの両側辺を抱えるべく配した抱え片と、
上下に延びる各支持腕の先端に、該ホルダ本体の前面に当接させたＣＤケースの上下辺を抱えるべく配した抱え片と、
背後に磁気吸着力を及ぼすべく、該ホルダ本体の中央部に配した磁石と、
で構成したＣＤケースホルダ。
【請求項２】
前記ホルダ本体の背面中央部に、各内端を、該背面と平行な面内を回動し得るように取り付けた二つの弾性接続片であって、帯状部材で構成し、各外端に、これらを各々縦方向に直線状態になるように回動させた場合に、その一方が、支持するＣＤケースの上辺の上方に、他方が、支持するＣＤケースの下辺の下方に、各々突出し、各々横方向に直線状態になるように回動させた場合に、その双方が支持するＣＤケースの両側辺の側外方に突出しない位置関係となる雄雌の接続部を構成した請求項１のＣＤケースホルダ。
【考案の詳細な説明】
【技術分野】
【０００１】
本考案は、ＣＤケースを、これを保有する者の身近な種々の場所、例えば、自宅のテーブル上、室内空間、窓ガラスや壁面、或いは台所の冷蔵庫の扉面等に自由に保管することのできるＣＤケースホルダに関する。
【背景技術】
【０００２】
この種のＣＤケースホルダに関しては、基板の前面側四隅にＣＤケースを吸着するための吸盤を設け、かつそれらの間の四カ所に画鋲のピンを前面側から背面側に差し込むための差し込み孔を設けたＣＤ壁飾り器具（特許文献１）が提案されている。
【０００３】
この特許文献１のＣＤ壁飾り器具は、その背面側を壁面の所望の位置に当接させ、画鋲を用いてこれを該壁面に固定した上で、その前面にＣＤケースを前記四隅の吸盤を用いて固定するものである。前記画鋲は、前記差し込み孔を通じて背後の壁面まで突き刺すことにより、該ＣＤ飾り器具を該壁面に固定する。なお対象となる壁面は、当然ながら画鋲を突き刺しても支障のないものに限る。或いはその前面に予め板材等を配して、そのような画鋲の使用を可能とした壁面である必要がある。
【０００４】
こうしてこの特許文献１のＣＤ壁飾り器具によれば、対象となりうる壁面の自由な位置にこれを取り付けることが可能であり、これにはＣＤケースを取り付けることが可能であるから、該当する壁面の自由な位置にＣＤケースを自由に取り付けられることとなる。またこれをＣＤケースより小型に構成しておけば、これは外観には現れないこととなり、その面で好都合である。
【０００５】
もっとも、前記のように、この特許文献１のＣＤ壁飾り器具は、画鋲を刺すことが可能な壁面以外では使用できないので、適用可能な壁面は多くはない、という問題がある。またＣＤケースを吸盤で取り付けるものであるため、それほど長い間確実に保持できるものではなく、いずれ脱落する虞が高く、ＣＤの損傷の虞もあるため、安心して使用できないという重大な問題もある。
【０００６】
この他に、ＣＤケース自体に吊り穴を構成したり（特許文献２）、抜き差し自在なフック部材を設けたり（特許文献３）、或いは開閉自在な掛止片を設けたり（特許文献４）して、各々吊り穴、フック部材又は掛止片により壁面に配してある棒状突起に係止することで、これらを壁掛けできるようにしたものがある。
【０００７】
これらは、いずれも壁面にフックやピンなどを設置しておいた場合にのみ使用可能なものであり、適用できる場面は多くはない、という問題がある。
【０００８】
また各種記憶メディアそれ自体及びその収容ケースに関するもので、記憶メディアの外装体に磁石を配し、収容ケース内に該磁石で該記憶メディアを該収容ケース中に固定するための磁性体を配したもの（特許文献４）が提案されている。
【０００９】
これによれば、記憶メディア単体で室内の磁性金属で構成してある部位又はそのような金属で構成された家具その他に磁気吸着させて保管することが可能となる。
磁石により、磁性金属製の部材に確実に固定することができるものであるが、それ以外の部材に固定することは、当然にできないものであり、適用範囲が必ずしも広くない問題がある。
【００１０】
【特許文献１】特開平１０−７５８７５号公報
【特許文献２】特開２００３−５４６７４号公報
【特許文献３】特開２００３−６３５８３号公報
【特許文献４】特開２００３−６３５８４号公報
【特許文献５】特開２００３−２２８６９６号公報
【考案の開示】
【考案が解決しようとする課題】
【００１１】
本考案は、以上のような従来技術の問題点を解決し、ＣＤケース及びこれに収納されるＣＤを確実に保持することができると共に、室内の所望の位置に自由に配置して保管できるＣＤケースホルダを提供することを解決の課題とする。
【課題を解決するための手段】
【００１２】
本考案の１は、中央部から上下左右に弾力性の支持腕を伸ばした十字板状のホルダ本体と、
両側に延びる各支持腕の先端に、該ホルダ本体の前面に当接させたＣＤケースの両側辺を抱えるべく配した抱え片と、
上下に延びる各支持腕の先端に、該ホルダ本体の前面に当接させたＣＤケースの上下辺を抱えるべく配した抱え片と、
背後に磁気吸着力を及ぼすべく、該ホルダ本体の中央部に配した磁石と、
で構成したＣＤケースホルダである。
【００１３】
本考案の２は、本考案の１のＣＤケースホルダに於いて、前記ホルダ本体の背面中央部に、各内端を、該背面と平行な面内を回動し得るように取り付けた二つの弾性接続片であって、帯状部材で構成し、各外端に、これらを各々縦方向に直線状態になるように回動させた場合に、その一方が、支持するＣＤケースの上辺の上方に、他方が、支持するＣＤケースの下辺の下方に、各々突出し、各々横方向に直線状態になるように回動させた場合に、その双方が支持するＣＤケースの両側辺の側外方に突出しない位置関係となる雄雌の接続部を構成したものである。
【考案の効果】
【００１４】
したがって本考案の１のＣＤケースホルダによれば、ＣＤを収納した又は収納しないＣＤケースを四隅の抱え片で確実に保持することができるため、これを脱落させて、収納していることのあるＣＤに損傷を与えるようなる虞はない。またこのようにＣＤケースを保持した上で、冷蔵庫の扉や各部屋を区切る扉、その他の扉、或いは種々の家具類等の正面側の内、磁性金属によって構成されたそれに磁石で磁気吸着させることにより、それらの前面に接合状態で保管することが可能となる。また窓ガラスの一面にその裏面を接合しつつこれを配置し、窓ガラスの他面に該窓ガラスをサンドイッチ状に挟む状態で補助磁石を配することにより、該窓ガラスの一面に該ＣＤケースホルダを固定することも可能となる。高所から吊り下げたプラスチックフィルム等にも同様のやり方で該ＣＤケースホルダを固定することができる。
【００１５】
本考案の２のＣＤケースホルダによれば、その弾性接続片の一方又は双方を上向き状態の縦向きに回動させると、その外端の接続部を該ＣＤケースホルダの保持するＣＤケースの上辺より上方に突出させ得、この状態で、壁面から突出させてあるフック又はピンに該弾性接続片の接続部を係止させることができる。従ってこのＣＤケースホルダによれば、ＣＤケースを保持した状態のＣＤケースホルダをフック又はピン等を配した壁面に容易に配することができることになる。
【００１６】
また二つ以上のＣＤケースホルダを、最下部のそれは、少なくとも弾性接続片の一方を上向き直線状態に回動させ、最下部のそれ以外は、各々弾性接続片の一方を上向き状態に、他方を下向き状態に回動させ、全体として縦向き直線状に向きを決めた上で、該弾性接続片を利用して、前記ＣＤケースホルダを縦向き直列状態に接続することができる。
【００１７】
なお、このとき、以上の全ＣＤケースホルダに於いて、上向きにすべき弾性接続片と下向きにすべき弾性接続片とは同一に設定する。即ち、雄の接続部を持った弾性接続片を上向きにした場合は全てのＣＤケースホルダに於いてそうする。
【００１８】
こうすることにより、最上部のＣＤケースホルダを、その上向きの弾性接続片の雄の接続部で壁面から突出したピンに係止し、その下向きの弾性接続片の雌の接続部で、直下のＣＤケースホルダの上向きの弾性接続片の雄の接続部を係止することができることとなる。更に下方のＣＤケースホルダについても全く同様である。
【００１９】
また前記弾性接続片は、文字通り、弾力性を有する帯状部材で構成したものであるため、二枚のそれをいずれも下向き状態に回動させた上で、下端を後方に引くと、これらを特にその上部付近で屈曲させ得、該弾性接続片を、後ろ向きに僅かに倒したホルダ本体を支えるステーとして利用することができる。従って机やテーブルの上等にＣＤケースを保持したＣＤケースホルダを立て掛けておくことができることとなる。
【考案を実施するための最良の形態】
【００２０】
本考案のＣＤケースホルダは、基本的に、弾力性の支持腕を備えた十字板状のホルダ本体と、各支持腕の先端に構成した抱え片と、該ホルダ本体の中央部に配した磁石とで構成したものである。
【００２１】
前記ホルダ本体は、弾力性を有する板状部材で構成するものとし、前記支持腕と共に、例えば、弾力性を有するプラスチック等により一体に成形するのが適当である。
前記支持腕は、該ホルダ本体の中央部から上下左右に伸ばした構成であり、それ故、該ホルダ本体は十字板状となる。また該支持腕は、その各先端に構成した抱え片により、該ホルダ本体の前面に当接させたＣＤケースを抱えさせて保持するためのものであり、それ故、横方向に伸ばしたそれらの両端間の寸法は、該ＣＤケースの横方向の寸法を僅かに越え、縦方向に伸ばしたそれらの両端間の寸法は、該ＣＤケースの縦方向の寸法を僅かに越えるように設定すべきものである。
【００２２】
前記抱え片は、ホルダ本体の前面に当接させたＣＤケースの側辺又は上下辺を抱える構成であり、基本的には、前面側に立ち上げる立ち上げ部と、該立ち上げ部の外端から内側に該ホルダ本体の前面とほぼ平行に張り出す平行部とで構成するものである。平行部の内側への張り出しは必要最小限度とするのが適当である。これらも前記ホルダ本体と弾力性を有するプラスチック等により一体に成形するのが好ましい。
【００２３】
前記磁石は、ＣＤケースを保持した状態で、磁性金属で構成した部材に磁気吸着によって固定するための手段であり、それ故、前記ホルダ本体の背後に磁気吸着力を及ぼすべくその中央部に配する。該ホルダ本体の中央部を開口してこれに該磁石を嵌め込み、接着剤等により固定するのが適当である。該磁石の形状は問わないが、これを後述する弾性接続片の内端を回動自在に支持する支持手段として利用する場合は、円柱状のそれを採用するのが適当である。
【００２４】
また前記ホルダ本体の背面には二つの弾性接続片を回動自在に配するのが適当である。各弾性接続片は、その内端を該ホルダ本体の背面中央部に回動自在に配するべきであるが、前記したように、前記磁石を円柱状に構成し、これにその各内端を回動自在に外装する構成とするのが適当である。二つの弾性接続片は、文字通りの弾力性を備えた帯状部材、例えば、弾性プラスチックの帯状部材で構成し、その各内端に係止口を開口し、これらで該磁石に回動自在に外装する。両弾性接続片は重ね合わせた状態でその内端の係止口を該磁石に外装する。この場合、該磁石の背後側外端には係止鍔を固設し、該弾性接続片が該磁石から外れないように保持する。
【００２５】
該二つの弾性接続片の内の一方のそれの外端には雌の接続部を、他方のそれの外端には雄の接続部を構成する。雌雄の接続部は自由な構成を採用することができるが、例えば、雌の接続部として、接続孔を採用し、雄の接続部として、フック状の接続部を採用することができる。
【００２６】
また該二つの弾性接続片は、これらを直列になるように回動させた場合に、両者の外端間の寸法がＣＤケースの横方向の寸法にほぼ一致する長さ寸法に構成する。
【００２７】
したがって本考案のＣＤケースホルダによれば、ＣＤケースを四本の支持腕と各々の外端に構成した抱え片とにより、確実に保持し得、かつその状態で、ホルダ本体の中央部の磁石により磁性金属で構成した種々の部材に磁気吸着固定することができる。例えば、冷蔵庫の扉の前面やホワイトボードの前面、或いは磁性金属製の各部屋の扉等に磁気吸着して取り付けておくことができる。
【００２８】
補助磁石と前記磁石とで挟持状態とすることにより、窓ガラスや室内の仕切のガラス戸等に磁気吸着固定することも可能となる。
【００２９】
また前記弾性接続片を利用して壁面その他に設置したピンやフックに係止して該ＣＤケースホルダを外壁面に配することもできる。このとき更に他のＣＤケースを保持したＣＤケースホルダを相互の弾性接続片を利用して、壁面等に配してあるＣＤケースホルダから更に吊り下げることも可能である。
【００３０】
更に弾性接続片をステー代わりに利用してテーブル上、机上その他の種々の平面上に、該ＣＤケースホルダを立て掛けておくこともできる。
【実施例１】
【００３１】
この実施例のＣＤケースホルダは、図１(a)〜(d)に示すように、基本的に、弾力性を有する横支持腕１、１及び縦支持腕２、２を備えた十字板状のホルダ本体３と、該横支持腕１、１及び該縦支持腕２、２の各先端に構成した抱え片４と、該ホルダ本体３の中央部に配した磁石５と、該ホルダ本体３の背面に回動自在に配した二つの弾性接続片６ａ、６ｂとで構成したものである。
【００３２】
前記ホルダ本体３は、この実施例では、前記横支持腕１、１、縦支持腕２、２及びそれらの先端の抱え片４、４…と共に、弾力性を有するプラスチックにより一体に成形したものである。
【００３３】
前記横支持腕１、１は、前記ホルダ本体３の中央部から左右に伸ばした板状の構成であり、前記縦支持腕２、２は、前記ホルダ本体３の中央部から上下に伸ばした板状の構成である。それ故、前記ホルダ本体３は、前記したように、十字板状の構成となる。
【００３４】
また前記横支持腕１、１は、その各先端に構成した抱え片４により、前記ホルダ本体３の前面に当接させたＣＤケース７の両側辺を抱えて保持するためのものであり、それ故、横方向に延びたそれらの両端間の寸法は、特に図２(a)、(b)に示すように、該ＣＤケース７の横方向の寸法を僅かに越える寸法としてある。他方、前記縦支持腕２、２は、その各先端に構成した抱え片４により、前記ホルダ本体３の前面に当接させたＣＤケース７の上下辺を抱えて保持するためのものであり、それ故、縦方向に延びたそれらの両端間の寸法は、特に図２(a)に示すように、該ＣＤケース７の縦方向の寸法を僅かに越える寸法としてある。
【００３５】
前記抱え片４は、図１(a)〜(d)及び図２(a)、(b)に示すように、ホルダ本体３の前面に当接させたＣＤケース７の側辺又は上下辺を抱える構成であり、前面側に立ち上げる立ち上げ部４ａと、該立ち上げ部４ａの外端から内側に該ホルダ本体３の前面と平行に張り出す平行部４ｂとで構成したものである。該立ち上げ部４ａの立ち上げ寸法は、特に図２(b)に示すように、ＣＤケース７の厚みを僅かに越える寸法とし、該平行部４ｂの張り出し寸法は最小限とした。なお、前記したように、これらの立ち上げ部４ａ、４ａ…及び平行部４ｂ、４ｂ…も前記ホルダ本体３と弾力性を有するプラスチックにより一体に成形したものである。
【００３６】
前記磁石５は、円板状で、その中心軸方向の両端面に異極を備えたものを採用し、図１(a)、(b)、(d)に示すように、前記ホルダ本体３の中心に開口した中心孔に嵌め込み、接着剤で固定したものである。該磁石５の嵌め込みは、特に図１(d)に示すように、その前面を該ホルダ本体３の前面と一致させて行い、後面を後方に突出させた状態にする。
【００３７】
前記弾性接続片６ａ、６ｂは、図１(b)、(c)、(d)及び図２(b)に示すように、前記ホルダ本体３の背面側で、両者を重ね合わせた状態で、内端に開口した係止口を前記磁石５に回動自在に外装したものである。該磁石５の後面周囲にはドーナツ状の係止鍔８を固定し、これによって該弾性接続片６ａ、６ｂの該磁石５からの離脱を防止するようにしてある。また該係止鍔８は接着剤で該磁石５に接着固定してある。
【００３８】
該弾性接続片６ａ、６ｂは、文字通りの弾力性を備えた弾性プラスチックの帯状部材で構成し、その長さは、両弾性接続片６ａ、６ｂを回動させて直列状態にした場合に、両者の外端間の寸法が前記ＣＤケース７の横方向の寸法にほぼ一致する長さ寸法に構成する。
【００３９】
また、二つの弾性接続片６ａ、６ｂの内、前者の弾性接続片６ａの外端には、特に図１(b)に示すように、雄の接続部であるフック部６ａｈを構成し、後者の弾性接続片６ｂの外端には、同図に示すように、雌の接続部である接続孔６ｂｈを構成してある。
【００４０】
したがってこの実施例のＣＤケースホルダによれば、ＣＤケース７を保持して以下の種々の態様で保管し又は飾ることができる。
【００４１】
ＣＤケース７は、横支持腕１、１、縦支持腕２、２や抱え片４、４…の弾力性を利用して抱え片４、４…を外側に開いた上で、ホルダ本体３の前面に当接状態に配し、該抱え片４、４…の弾力的な動きを許容すると、図２(a)、(b)に示すように、これらによって両側辺及び上下辺がそれぞれ抱えられ、ＣＤケースホルダに保持された状態になる。なおＣＤケース７はＣＤ１０を収納した状態でも空の状態でも、上記のように、保持され得るのは云うまでもない。
【００４２】
ＣＤケース７を保持したＣＤケースホルダは、図３(a)及び図４に示すように、ガラス戸Ｇの板ガラスｇの一面に固定することができる。
これは、特に図４に示すように、板ガラスｇの一面にＣＤケースホルダをその裏面側の磁石５の後面で接合し、該板ガラスｇの他面側から該磁石５に対面させて補助磁石９を配し、該磁石５と補助磁石９とで板ガラスｇを挟持することにより固定するようにしたものである。
【００４３】
またＣＤケース７を保持したＣＤケースホルダは、図３(b)に示すように、建物の天井、梁又は桁から紐ｒで吊り下げた帯状のプラスチックフィルムｆの一面に固定することができる。これも、前記ガラス戸Ｇの板ガラスｇの一面に固定した場合と同様に、該プラスチックフィルムｆの一面に、ＣＤケースホルダを、その裏面の磁石５の後面で接合し、該プラスチックフィルムｆの他面側から該磁石５に対面させて補助磁石９を配し、該磁石５と補助磁石９とで該プラスチックフィルムｆを挟持することにより固定するようにしたものである。
【００４４】
ＣＤケース７を保持したＣＤケースホルダは、図５(a)、(b)に示すように、そのホルダ本体３の中央部に配した磁石５によってホワイトボードｗに固定することができる。これは、云うまでもなく、ホワイトボードｗの面を構成する磁性体にホルダ本体３の中央部に配した磁石５を磁気吸着させることにより、固定しているものである。
【００４５】
ＣＤケース７を保持したＣＤケースホルダは、図６(a)に示すように、そのホルダ本体３の裏面に回動自在に配した弾性接続片６ａ、６ｂのいずれか及び壁面に突設したフックｈ１を利用して該壁面に配置することができる。
【００４６】
この実施例では、二つの弾性接続片６ａ、６ｂの内、外端にフック部６ａｈを構成した弾性接続片６ａを回動させて直立状態にさせ、図６(a)に示すように、保持しているＣＤケース７の上辺上に突出したフック部６ａｈを壁面に突設したフックｈ１に係止させたものである。こうして、前記したように、容易に壁面にＣＤケース７を保持したＣＤケースホルダを配置することができる。
【００４７】
また各々ＣＤケース７を保持した二つのＣＤケースホルダを、図６(b)に示すように、建物の梁等から吊り下げたフックｈ２に直列状態で吊り下げることができる。
【００４８】
この実施例では、図６(b)に示すように、上方のＣＤケースホルダでは、それぞれフック部６ａｈを備えた弾性接続片６ａを直立させ、接続孔６ｂｈを備えた弾性接続片６ｂを垂下させるべく、回動させ、他方、下方のＣＤケースホルダでは、フック部６ａｈを備えた弾性接続片６ａを直立させるべく回動させ、接続孔６ｂｈを備えた弾性接続片６ｂは横方向を向けた状態に保持し、この弾性接続片６ｂの接続孔６ｂｈが正面から見てＣＤケース７及びＣＤケースホルダの横支持腕１の背後に隠された状態になるようにしておく。
【００４９】
この状態で、図６(b)に示すように、上方のＣＤケースホルダを、これに保持されたＣＤケース７の上辺上に突出した弾性接続片６ａのフック部６ａｈを、前記フックｈ２に係止することで、該フックｈ２から吊り下げる。更にこのＣＤケースホルダの下方に突出する弾性接続片６ｂの接続孔６ｂｈに、下方のＣＤケースホルダの直立した弾性接続片６ａのフック部６ａｈを係止させ、該下方のＣＤケースホルダを前記上方のＣＤケースホルダに直列に吊り下げた状態にする。こうしてＣＤケースホルダを容易に二連に接続することができる。同様の接続の仕方で三連以上の接続ができるのは云うまでもない。
【００５０】
更にＣＤケースを保持したＣＤケースホルダは、図７に示すように、前記弾性接続片６ａ、６ｂをステー代わりに利用してテーブルその他の種々の平面上に立て掛けておくことができる。
【００５１】
前記弾性接続片６ａ、６ｂをいずれも垂下させた状態に回動させた上で、その下端をＣＤケースホルダの背後方向に引くと、これらは、図７に示すように、特にその上部付近で屈曲状態となる。そのためこれらの弾性接続片６ａ、６ｂは、後ろ向きに僅かに倒したホルダ本体３を支えるステーとして利用し、テーブル等の上に立て掛けておくことができることになる。
【図面の簡単な説明】
【００５２】
【図１】(a)は実施例のＣＤケースホルダの正面図、(b)は実施例のＣＤケースホルダの背面図、(c)は実施例のＣＤケースホルダの平面図、(d)は(a)のＡ−Ａ線断面拡大図。
【図２】(a)はＣＤケースを保持した状態の実施例のＣＤケースホルダの正面図、(b)はＣＤケースを保持した状態の実施例のＣＤケースホルダの拡大平面図。
【図３】(a)はＣＤケースを保持した実施例のＣＤケースホルダをガラス戸のガラス面に配置した状態の概略正面図、(b)はＣＤケースを保持した実施例のＣＤケースホルダを室内に吊り下げた帯状のプラスチックフィルム面に配置した状態の概略正面図。
【図４】図３(a)のＢ−Ｂ線拡大断面図。
【図５】(a)はＣＤケースを保持した実施例のＣＤケースホルダをホワイトボードの面に配置した状態の概略正面図、(b)は(a)のＣ−Ｃ線拡大断面図。
【図６】(a)はＣＤケースを保持した実施例のＣＤケースホルダを壁面に配置した状態の概略正面図、(b)はＣＤケースを保持した実施例のＣＤケースホルダを直列に接続して吊り下げた状態の概略正面図。
【図７】ＣＤケースを保持した実施例のＣＤケースホルダをテーブル上に配した状態の側面図。
【符号の説明】
【００５３】
１    横支持腕
２    縦支持腕
３    ホルダ本体
４    抱え片
４ａ  立ち上げ部
４ｂ  平行部
５    磁石
６ａ、６ｂ  弾性接続片
６ａｈ  フック部
６ｂｈ  接続孔
７    ＣＤケース
８    係止鍔
９    補助磁石
１０  ＣＤ
ｆ    帯状のプラスチックフィルム
Ｇ    ガラス戸
ｇ    板ガラス
ｈ１  壁面に配したフック
ｈ２  フック
ｒ    紐
ｗ    ホワイトボード
【図１】
0003107308.tif 000003
【図２】
0003107308.tif 000004
【図３】
0003107308.tif 000005
【図４】
0003107308.tif 000006
【図５】
0003107308.tif 000007
【図６】
0003107308.tif 000008
【図７】
0003107308.tif 000009